(57)【特許請求の範囲】
【請求項１】
本体上面のトッププレートの下側に配備され、トッププレート上に載置した調理鍋を誘導加熱する加熱手段と、
トッププレートを介して調理鍋の温度を測定する温度測定手段と、
使用者により操作された加熱手段の加熱条件や加熱開始及び停止などの操作情報が出力される操作手段と、
操作手段から出力された操作情報に基づいて加熱手段を制御する制御手段と、
を具える加熱調理器において、
制御手段は、加熱手段の運転終了を音声報知するための第１の報知データが格納された第１記憶部と、トッププレートが高温であることなどの警報を音声報知するための第２の報知データが格納された第２記憶部と、音楽又はメロディからなる第３の報知データを格納した第３記憶部と、報知データに基づき報知を行う音声メロディ報知手段と、
を有しており、
加熱手段の運転終了後、第１記憶部に格納された第１の報知データを音声メロディ報知手段から音声報知すると共に、
加熱手段の運転終了時に温度測定手段により測定された温度が所定温度以上の場合、第２記憶部に格納された第２の報知データを音声メロディ報知手段から音声報知した後、
さらに、第３記憶部に格納された第３の報知データを音声メロディ報知手段から音楽又はメロディ報知することを特徴とする加熱調理器。
【請求項２】
操作手段は、加熱手段を加熱スタンバイモードへ移行し、または加熱スタンバイモードを解除するスタンバイモード切換部を有し、
制御手段は、スタンバイモード切換部の操作により加熱スタンバイモードへ移行されたときのみ操作手段の操作情報に基づく加熱手段の運転を可能とすると共に、
加熱手段の運転終了後にスタンバイモード切換部の操作により加熱スタンバイモードが解除されたとき、温度測定手段により測定された温度が所定温度以上なら、第２記憶部に格納された第２の報知データを音声メロディ報知手段から再度音声報知することを特徴とする請求項１に記載の加熱調理器。
【請求項３】
制御手段は、第３記憶部に格納された第３の報知データを音声メロディ報知手段から音楽又はメロディ報知されている途中で、スタンバイモード切換部により加熱スタンバイモードが解除されたとき、音楽又はメロディ報知を中断して終了することを特徴とする請求項２に記載の加熱調理器。
【請求項４】
外部機器とデータ通信可能なデータ通信手段をさらに具え、
制御手段は、データ通信手段を介して第１の報知データ、第２の報知データ及び第３の報知データの少なくとも１つを受信し、対応する第１記憶部乃至第３記憶部のいずれかに格納する請求項１乃至請求項３のいずれかに記載の加熱調理器。
【請求項５】
外部機器は赤外線通信機能を有する携帯電話等の携帯型端末装置であり、
データ通信手段は、外部機器と赤外線通信によりデータ通信を行うことを特徴とする請求項４に記載の加熱調理器。
【請求項６】
加熱手段は、複数配備され、
第３記憶部は、第３の報知データが複数格納可能であり、
制御手段は、各加熱手段に対応させて異なる第３の報知データを第３記憶部に格納し、加熱手段毎に音声メロディ報知手段での音楽又はメロディ報知を異ならせることを特徴とする請求項５に記載の加熱調理器。
【請求項７】
制御手段は、複数の加熱手段のうちいずれかが運転中の場合に、データ通信手段でデータ受信を行なわないようにした請求項６に記載の加熱調理器。
【発明の詳細な説明】
【技術分野】
【０００１】
本発明は、誘導加熱による加熱手段を有する加熱調理器に関するものであり、より具体的には、加熱終了や警報などを音声により報知することができる加熱調理器に関するものである。
【背景技術】
【０００２】
誘導加熱による加熱手段を有する加熱調理器は、コイルを内蔵した誘導加熱手段に高周波電圧を印加し、発生する高周波磁界によって、強磁性材料からなる調理鍋に生ずる渦電流によって、容器内の食材を加熱する調理器である(例えば、特許文献１参照)。
誘導加熱手段を有する加熱調理器は、誤操作や異常発生時にメッセージを音声で報知し、使用者に注意を促すようにするものが提案されている(例えば、特許文献２参照)。
【０００３】
【特許文献１】特開２００５−５６７２２号公報
【特許文献２】特開２００６−４６３０号公報
【発明の開示】
【発明が解決しようとする課題】
【０００４】
誘導加熱手段のコイルは、調理鍋を載置するトッププレートの下側に配置されており、ガス機器のように、加熱手段の運転状態を直接目視により確認することができない。
そのため、加熱手段の運転終了後、音声により、加熱が終了した旨を音声により報知する誘導加熱調理器も提案されているが、使用者が調理器から離れている場合などには、音声を聞き漏らすことがあり、加熱終了を確認することができないことがあった。
また、加熱手段の運転終了後、しばらくの間は、トッププレートが高温になっているが、トッププレートが高温であることは、使用者が直接目視により確認することはできないから、このような場合に、使用者がトッププレートに触れてしまうことのないように防止する必要がある。
トッププレートが高温である場合に、その旨のメッセージを流すことが考えられるが、このような場合でも、メッセージだけの報知では、使用者は、調理が終了したことのみに注目しやすく、トッププレートが高温である旨のメッセージを聞き漏らしたり、メッセージへの注意が薄れてしまう虞れがある。
【０００５】
本発明の目的は、加熱手段の運転終了を報知すると共に、トッププレートが高温であることを確実に使用者に伝達することのできる加熱調理器を提供することである。
【課題を解決するための手段】
【０００６】
上記課題を解決するために本発明の加熱調理器は、
本体上面のトッププレートの下側に配備され、トッププレート上に載置した調理鍋を誘導加熱する加熱手段と、
トッププレートを介して調理鍋の温度を測定する温度測定手段と、
使用者により操作された加熱手段の加熱条件や加熱開始及び停止などの操作情報が出力される操作手段と、
操作手段から出力された操作情報に基づいて加熱手段を制御する制御手段と、
を具える加熱調理器において、
制御手段は、加熱手段の運転終了を音声報知するための第１の報知データが格納された第１記憶部と、トッププレートが高温であることなどの警報を音声報知するための第２の報知データが格納された第２記憶部と、音楽又はメロディからなる第３の報知データを格納した第３記憶部と、報知データに基づき報知を行う音声メロディ報知手段と、
を有しており、
加熱手段の運転終了後、第１記憶部に格納された第１の報知データを音声メロディ報知手段から音声報知すると共に、
加熱手段の運転終了時に温度測定手段により測定された温度が所定温度以上の場合、第２記憶部に格納された第２の報知データを音声メロディ報知手段から音声報知した後、
さらに、第３記憶部に格納された第３の報知データを音声メロディ報知手段から音楽又はメロディ報知する。
【０００７】
操作手段は、加熱手段を加熱スタンバイモードへ移行し、または加熱スタンバイモードを解除するスタンバイモード切換部を有し、
制御手段は、スタンバイモード切換部の操作により加熱スタンバイモードへ移行されたときのみ操作手段の操作情報に基づく加熱手段の運転を可能とすると共に、
加熱手段の運転終了後にスタンバイモード切換部の操作により加熱スタンバイモードが解除されたとき、温度測定手段により測定された温度が所定温度以上なら、第２記憶部に格納された第２の報知データを音声メロディ報知手段から再度音声報知することが望ましい。
【０００８】
制御手段は、第３記憶部に格納された第３の報知データを音声メロディ報知手段から音楽又はメロディ報知されている途中で、スタンバイモード切換部により加熱スタンバイモードが解除されたとき、音楽又はメロディ報知を中断して終了することが望ましい。
【０００９】
外部機器とデータ通信可能なデータ通信手段をさらに具え、
制御手段は、データ通信手段を介して第１の報知データ、第２の報知データ及び第３の報知データの少なくとも１つを受信し、対応する第１記憶部乃至第３記憶部のいずれかに格納することが望ましい。
データ通信は、赤外線通信を例示することができる。
【００１０】
加熱手段は、複数配備され、
第３記憶部は、第３の報知データが複数格納可能であり、
制御手段は、各加熱手段に対応させて異なる第３の報知データを第３記憶部に格納し、加熱手段毎に音声メロディ報知手段での音楽又はメロディ報知を異ならせることが望ましい。
【００１１】
制御手段は、複数の加熱手段のうちいずれかが運転中の場合に、データ通信手段でデータ受信を行なわないようにすることが望ましい。
【発明の効果】
【００１２】
加熱手段の運転終了後に第１の報知データを音声メロディ報知手段から出力することによって、使用者に加熱手段の運転終了を報知する。このとき、温度測定手段により測定された温度が所定温度異常である場合には第１の報知データに続けて、第２の報知データを出力する。
本発明では、上記報知データに続けて、第３の報知データである音楽又はメロディを音声メロディ報知手段から出力することにより、使用者は、第１の報知データ及び第２の報知データを聞き漏らしたとしても、聞きたい音楽やメロディからなる第３の音声報知データには注目する。従って、加熱手段の運転終了を使用者の聴覚から確実に伝達することができる。
なお、第３の報知データは、音楽やメロディ等、ある程度(数十秒から数分)の時間的長さとすることで、加熱終了時に加熱調理器の近くに使用者がいない場合でも、調理終了を使用者に伝達することができる。
また、第３の報知データを出力した後、トッププレートが高温である場合には、再度、第２の報知データによりその旨を報知するから、使用者が誤って高温のトッププレートに触れてしまう問題を解消することができる。
【００１３】
加熱手段の運転が可能な加熱スタンバイモードが、使用者の操作によって解除された場合に、温度測定手段により測定された温度が所定温度以上であれば、第２の報知データを音声メロディ報知手段から再度報知するから、使用者は、第２の報知データを聞き漏らすことはなく、誤って高温のトッププレートに触れてしまう問題を解消することができる。
【００１４】
また、外部機器とデータ通信可能なデータ通信手段によって、第１乃至第３の報知データを受信して、対応する記憶部に記憶できるようにしたことで、使用者が所望するメッセージ、音楽、メロディ等の音声を報知データとして、加熱手段の加熱後に出力することができる。使用者が所望する音声を出力することにより、予め設定されたメッセージを出力する場合に比べて、使用者の注意力を惹くことができる利点がある。
【００１５】
また、加熱手段が複数ある場合には、加熱手段毎に第３の報知データを変えることで、どの加熱手段の運転が終了し、高温となっているかを聴覚により確認できる。
【００１６】
さらに、加熱手段の何れかが運転中の場合に、データ通信手段によるデータ受信を行なわないようにしたことで、加熱調理器の誤作動や、調理中の使用者の注意散逸を防止できる。
【発明を実施するための最良の形態】
【００１７】
図１は、本発明を適用することのできるビルトインタイプの加熱調理器(10)の一例を示す斜視図である。また、図２は、本発明の加熱調理器(10)の制御ブロック図である。
【００１８】
加熱調理器(10)は、本体(12)の上面に天板枠(14)を有し、該天板枠(14)には、セラミック製のトッププレート(16)が配置されている。
【００１９】
天板枠(14)の前端には、上操作パネル(22)が配備されている。上操作パネル(22)は、後述する前操作パネル(24)と共に使用者が加熱調理器(10)を制御する操作手段(20)を構成する。上操作パネル(22)には、複数の操作ボタン(23)が設けられており、使用者が調理鍋内の撹拌等を行ないながら、前屈みにならなくても、出力の調整等を行なうことができる。
天板枠(14)の後端には、本体(12)の内部の温度上昇を防止するための吸気口と排気口が形成されており、これらを繋ぐ流路内には、強制換気のためのファンが配置されている。吸気口及び排気口は、パンチング孔を穿孔したカバー(18)(19)で覆われている。
【００２０】
トッププレート(16)には、符号(30)(31)で示す丸枠部分が誘導加熱対応の調理鍋を載置する加熱部であり、後方にある符号(32)で示す丸枠部分は、誘導加熱非対応の調理鍋を載置する加熱部である。誘導加熱部(30)(31)の下側には、リッツ線を撚って渦巻き状に巻回し、磁束を発する加熱コイルからなる加熱手段(35)(36)が配備されており、誘導加熱非対応の加熱部(32)の下側には、加熱手段(37)として調理鍋を輻射加熱するラジエントヒータが配備されている。加熱手段(35)(36)は、加熱コイルから発生した磁束で調理鍋を誘導加熱する。
トッププレート(16)の前部中央には、加熱調理器(10)の動作状態等を表示する表示部(28)が形成されている。
【００２１】
本体(12)は、前面右側に前操作パネル(24)が配備されている。前操作パネル(24)には、図１に示すように、加熱調理器(10)の電源スイッチ(21)、加熱手段(35)(36)のオン、オフ及び出力を調節するダイヤル式の操作部(25)(25)や、その他操作ボタン(26)、音声ダウンロード用の操作ボタン(27)を有している。
操作部(25)(25)は、前操作パネル(24)から出没可能となっており、後述するとおり、加熱手段(35)を操作可能、出力可能な加熱スタンバイモードに移行させ、また、解除させるスタンバイモード切換部を兼ねている。
前操作パネル(24)には、後述する音声メロディ報知手段(48)に接続されたスピーカ(49)と、外部機器、例えば、携帯電話やＰＨＳ等の携帯型端末装置(90)から送信される赤外線信号を受信する赤外線受光部(46)が設けられている。
【００２２】
また、本体(12)は、前面の左側には、ロースタ部(33)が形成されている。ロースタ部(33)の調理庫には、加熱手段(38)としてシーズヒータが突設されており、引出し型のトレーに焼き網を載置して、加熱手段(38)により食品を加熱する。調理庫は、天板枠(14)の後端に設けられた排気口に連通しており、調理庫内の煙や臭気を内蔵する触媒及びファンによって、脱煙や脱臭しつつ強制排気する。触媒は、プラチナ触媒を例示でき、触媒性能を高めるために、触媒をヒータにより加熱することが望ましい。
【００２３】
誘導加熱による加熱手段(35)(36)には、トッププレート(16)を介して、加熱手段(35)(36)に載置された調理鍋の温度を測定するために、夫々温度測定手段(39)(39)が配置されている。温度測定手段(39)(39)は、加熱手段(35)(36)の中心と、中心から半径の略１／２離れた位置の各２箇所に、トッププレート(16)の裏面に当接するよう配置されている。
【００２４】
上記構成の加熱調理器(10)のすべての制御は、本体(12)の内部の適所に配置された制御手段(40)によって行なわれる。具体的には、図２に示すように、制御手段(40)には、加熱手段(35)(36)(37)(38)、温度測定手段(39)、操作手段(20)、音声メロディ報知手段(48)、赤外線受光部(46)及び表示部(28)が電気的に接続されており、電源(図示せず)からの電力供給を受けて作動する。
【００２５】
制御手段(40)は、加熱調理器(10)に関する各種制御プログラム、調理プログラム等のプログラムを格納した記憶部(42)を有している。調理プログラムとして、以下で示すような自動調理プログラム、タイマー調理プログラム、手動調理プログラムを例示できる。
記憶部(42)には、以下に示す報知データを格納した第１乃至第３記憶部(43)(44)(45)を有している。
【００２６】
第１記憶部(43)は、加熱手段(35)(36)の運転終了を音声報知するための第１の報知データを格納している。第１の報知データとして、例えば「加熱が終了しました。」とのメッセージを例示できる。第１の報知データは、使用者に動作完了の事実を伝達するために、比較的短時間(２〜５秒程度)のメッセージとすることが望ましい。
第２記憶部(44)は、トッププレート(16)が高温であることを音声報知するための第２の報知データを格納している。第２の報知データとして、例えば「トッププレートが熱くなっています。ご注意下さい。」とのメッセージを例示できる。第２の報知データも、使用者に具体的に事実を伝達するために、比較的短時間(２〜５秒程度)のメッセージとすることが望ましい。
第３記憶部(45)は、上記第１の報知データ及び第２の報知データに基づいた音声報知を使用者が聞き逃した場合に使用者に加熱の終了等を伝達するための第３の報知データを格納している。第３の報知データとして、音楽やメロディを例示することができる。第３の報知データは、第１及び第２の報知データよりも長い時間、例えば３０秒〜数分程度の音楽、メロディとすることが望ましい。第３の報知データを音楽やメロディとしたのは、第１及び第２の報知データの如きメッセージを繰り返すよりも、使用者が心地よい感覚を得ることができるからである。勿論、第３の報知データをメッセージとしてもよい。
第１乃至第３記憶部(43)(44)(45)に格納されたデータは、フローチャート図３乃至図７に示す要領で、音声メロディ報知手段(48)に出力され、スピーカ(49)から音声出力される。
【００２７】
また、報知データの受信手段として、本実施例で例示されいてる赤外線受光部(46)は、外部機器から加熱調理器(35)に使用者の所望するメッセージ、音楽、メロディ等を入力する。外部機器として、図２に示すような赤外線通信可能な携帯電話等の携帯型端末(90)を例示できる。第１乃至第３の報知データは、インターネット上のメロディ配信サービスにより携帯電話等を経由してダウンロードしたり、ネットワークやパソコンを経由してダウンロードすることができる。ダウンロードされた報知データを携帯型端末(90)から、加熱調理器(10)の赤外線受光部(46)に向けて発信する。制御手段(40)は、受信された第１乃至第３の報知データを対応する記憶部(43)(44)(45)に格納し、後述するとおり、報知データが出力される際に、使用者が入力した報知データを出力する。
【００２８】
なお、加熱手段(35)(36)(37)(38)の動作に対応して、赤外線通信により、レンジフードの動作を制御する機構を有する加熱調理器(10)では、上記赤外線通信と混線する場合があるため、加熱手段(35)(36)(37)(38)の動作時に報知データが入力できないようにすることが望ましい。
【００２９】
フローチャート図３乃至図７は、本発明の加熱調理器(10)の制御の一例を示している。なお、加熱手段として、加熱手段(35)を例示する。
電源スイッチ(21)がオンにされた状態で、加熱調理器(10)は、図３に示すように、加熱スタンバイモードが解除された状態で待機する(ステップ１)。このとき、使用者が、例えば、第３の報知データを外部からダウンロードする場合には、ステップ２に示す「メロディダウンロード」のサブルーチンに移行する。なお、サブルーチンについては、図８を用いて後述する。
【００３０】
使用者が、スタンバイモード切換部を兼ねる操作部(25)を操作すると(ステップ３)、加熱スタンバイモードに入り(ステップ４)、操作部(25)の操作による加熱条件設定が行なわれる(ステップ５)。
【００３１】
操作部(25)の操作により、自動調理プログラム(図７参照)が選択されている場合には(ステップ６)、誘導加熱手段(35)に通電が行なわれる(図７のステップ７)。
このとき、誘導加熱手段(35)に流れる電流の変化を検知することによって(ステップ８)、負荷が適正であるか、即ち、調理鍋が載っていなかったり、正しい位置に載せられていない場合には(ステップ９)、一旦通電を止めて(ステップ１０)、その旨を通知する(ステップ１１)。不適正負荷報知として、「調理鍋を正しく置いて下さい。」等のメッセージを音声メロディ報知手段(48)からスピーカ(49)を介して出力すればよい。
負荷が適正であると判断した場合には(ステップ９)、所定の自動調理プログラムを実行し(ステップ１２)、自動調理プログラムが終了すると(ステップ１３)、誘導加熱手段(35)への通電を止める(図５のステップ１４)。
【００３２】
図５は、報知データ出力のフローチャート図である。
ステップ１４にて、誘導加熱手段(35)への通電が止められると、制御手段(40)は、第１記憶部(43)に記憶されている第１の報知データを音声メロディ報知手段(48)からスピーカ(49)へ出力する(ステップ１５)。これにより、スピーカ(49)から「加熱が終了しました。」との音声が発生する。
【００３３】
第１の報知データの出力が終了すると(ステップ１５)、温度測定手段(39)は、トッププレート(16)を介して調理鍋の温度を測定して、制御手段(35)に出力する(ステップ１６)。制御手段(40)は、受信された温度が、所定温度以上であると、第２記憶部(44)に記憶されている第２の報知データを音声メロディ報知手段(48)からスピーカ(49)へ出力する(ステップ１７)。これにより、スピーカ(49)から「トッププレートが熱くなっています。ご注意下さい。」との音声が発生する。
温度測定手段(39)の測定温度が、所定温度以下であれば、第２の報知データは出力されず、次のステップ１８に進む。
【００３４】
次に、第３の報知データの出力が行なわれる。
まず、制御手段(40)は、第３記憶部(45)から加熱手段に応じた報知データ、例えば、メロディを設定し(ステップ１８)、設定されたメロディを第３の報知データとして、音声メロディ報知手段(48)からスピーカ(49)へ出力する(ステップ１９)。これにより、加熱手段に応じたメロディがスピーカ(49)から再生される。メロディの設定がない場合には、メロディを出力することなくステップ２０に進む。
【００３５】
第３の報知データの再生は、使用者が操作部(25)を操作、例えば、操作部(25)を操作パネル(24)に押し込むまで行なわれ(ステップ２０)、使用者が操作部(25)を前記のとおり操作すると、メロディ再生中の場合には、再生中のメロディを停止する(ステップ２１)。
【００３６】
このとき、温度測定手段(39)は、トッププレート(16)を介して調理鍋の温度を測定して(ステップ２２)、制御手段(40)に出力する。制御手段(40)は、受信された温度が、所定温度以上であると、第２記憶部(44)に記憶されている第２の報知データを音声メロディ報知手段(39)からスピーカ(49)へ再度出力する(ステップ２３)。これにより、スピーカ(49)から「トッププレートが熱くなっています。ご注意下さい。」との音声が発生する。
これにより、上記フローは終了し、ステップ１に戻り、加熱スタンバイモードが解除される。
【００３７】
なお、ステップ６にて、自動調理プログラムではなく、所定の時間だけ加熱を行なうタイマー調理プログラムが選択された場合には(図６のステップ３０)、誘導加熱手段(35)に通電が行なわれる(ステップ３１)。このとき、前記ステップ９〜１１と同様に、適正負荷検知が行なわれ(ステップ３２〜３５)、負荷が適正である場合には、タイマーをカウントダウンし(ステップ３６)、カウント終了後(ステップ３７)、前記ステップ１４〜２３により、第１乃至第３の報知データを出力する。
【００３８】
さらに、ステップ３０にて、タイマー調理プログラムでなく、手動調理プログラムが選択された場合には、誘導加熱手段(35)に通電が行なわれ(図７のステップ４０)、前記ステップ９〜１１と同様に、適正負荷検知が行なわれ(ステップ４１〜４４)、負荷が適正である場合には、使用者が、操作部(25)を操作して、加熱手段(35)を停止するまで加熱が続けられる(ステップ４５)。使用者が、操作部(25)により加熱を停止すると(ステップ４５、４６)、制御手段(40)は、第１記憶部(43)に記憶されている第１の報知データを音声メロディ報知手段(48)からスピーカ(49)へ出力する(ステップ４７)。これにより、スピーカ(49)から「加熱が終了しました。」との音声が発生する。
【００３９】
第１の報知データの出力が終了すると(ステップ４７)、温度測定手段(39)は、トッププレート(16)を介して調理鍋の温度を測定して、制御手段(40)に出力する(ステップ４８)。制御手段(40)は、受信された温度が、所定温度以上であると、第２記憶部(44)に記憶されている第２の報知データを音声メロディ報知手段(48)からスピーカ(49)へ出力する(ステップ４９)。これにより、スピーカ(49)から「トッププレートが熱くなっています。ご注意下さい。」との音声が発生する。
なお、手動調理プログラムの場合は、加熱停止の際に、使用者が加熱調理器(10)のそばにいるため、第３の報知データは再生しないようにしている。
【００４０】
本フローチャート図によれば、使用者が、操作部(25)を操作することにより、自動調理プログラム、タイマー調理プログラムを選択した場合には、加熱終了時に、第１の報知データ及び必要に応じて第２の報知データを出力し、さらに、メロディ等からなる第３の報知データを出力できるから、使用者が加熱調理器(10)のそばにいない場合でも、しばらくの間第３の報知データであるメロディを再生しておくことにより、使用者に確実に加熱終了を伝達することができる。
また、第３の報知データの再生を使用者が止めたときに、第２の報知データを再度出力できるようにしているから、トッププレート(16)に触れることも防止できる。
【００４１】
上記実施例では、加熱手段(35)について説明を行なったが、他の加熱手段(36)(37)(38)についても同様の制御を行なうことができる。なお、加熱手段(37)(38)の場合には、適正負荷検知のステップは不要であり、さらに、加熱手段(38)の場合には、トッププレート(16)は高温になることはないから、第２の報知データの出力も不要である。
【００４２】
ステップ２において、使用者が所望の報知データを、外部からダウンロードするフローについて説明する。
使用者が、音声ダウンロード用の操作ボタン(27)を操作すると(ステップ５０)、制御手段(40)は、すべての加熱手段の運転状態をチェックし(ステップ５１)、運転中の加熱手段がない場合には、ダウンロード許可モードへ移行する(ステップ５３)。
この状態で、携帯端末装置(90)等の外部機器から赤外線受光部(46)に向けて赤外線通信がなされると、所定の記憶部(43)(44)(45)に音楽、メロディ、ボイス等の報知データが記憶される(ステップ５４)。なお、何れの記憶部に記憶するか、また、ダウンロードした報知データを再生するか否か、再生の音量等は、加熱手段毎に決定できるようにしておくことが望ましい。
ダウンロードが完了すると、ダウンロード許可モードは解除され、フローチャート図３のステップ３へ戻る。
【００４３】
なお、ダウンロード許可モード中に、使用者が操作部(25)等を操作した場合には、誤作動防止及び調理への注意力が散逸することを防止するために、ダウンロードを中断して、フローチャート図３のステップ３へ戻るようにすることが望ましい。
【００４４】
なお、加熱手段(35)(36)(37)(38)の動作に対応して、赤外線通信により、レンジフードの動作を制御する機構を有する加熱調理器(10)では、上記赤外線通信と混線する場合があるため、加熱手段(35)(36)(37)(38)の動作時に報知データが入力できないようにすることが望ましい。
【００４５】
外部からのデータを受信する方法として、加熱調理器(10)を有線又は無線ＬＡＮを接続可能な構成としたり、第１記憶部(43)及び第２記憶部(44)を、外部から挿入可能な記憶媒体としてもよい。
【００４６】
本発明によれば、使用者は、加熱手段(35)(36)(37)(38)の加熱終了の音声メッセージを聞き逃しても、所定時間、音楽、メロディ等を流すことにより、加熱終了を使用者に伝達するだけでなく、目視では確認できないトッププレート(16)の高温状態を使用者に伝達することができる。また、使用者は、自らの所望する報知データを加熱終了後に再生することもできるから、心地よい環境で調理を行なうことができる。
【産業上の利用可能性】
【００４７】
本発明は、加熱手段の加熱終了及びトッププレートが高温であることを、使用者に確実に伝達することのできる加熱調理器として有用である。
【図面の簡単な説明】
【００４８】
【図１】本発明の加熱調理器の斜視図である。
【図２】本発明の加熱調理器の制御ブロック図である。
【図３】本発明の加熱調理器の加熱スタンバイモード切換のフローチャート図である。
【図４】自動調理プログラムのフローチャート図である。
【図５】報知データ出力のフローチャート図である。
【図６】タイマー調理プログラムのフローチャート図である。
【図７】手動調理プログラムのフローチャート図である。
【図８】メロディダウンロードのフローチャート図である。
【符号の説明】
【００４９】
(10)  加熱調理器
(16)  トッププレート
(20)  操作手段
(24)  前操作パネル
(25)  操作部
(30)  加熱部
(35)  加熱手段
(40)  制御手段
(43)  第１記憶部
(44)  第２記憶部
(45)  第３記憶部
(48)  音声メロディ報知手段
【図１】
0004480685.tif 000002
【図２】
0004480685.tif 000003
【図３】
0004480685.tif 000004
【図４】
0004480685.tif 000005
【図５】
0004480685.tif 000006
【図６】
0004480685.tif 000007
【図７】
0004480685.tif 000008
【図８】
0004480685.tif 000009